(57)【要約】【課題】癌部位を精度高く推定できる機能画像のイメージングを行うこと。【解決手段】ＰＥＴ装置１により取得された例えばＰＥＴ体軸横断像ＰＤ２とＭＲＩ装置７により取得された例えばＭＲＩ・Ｄiffusion体軸横断像ＭＤ２とのＡＮＤ画像を生成部２０により生成し、このＡＮＤ画像をディスプレイ２６の表示画面上に表示する。【選択図】図１
2008036284.tif 000002
【特許請求の範囲】
【請求項１】
被検体内の機能を画像化した互いに異なる複数の機能画像を取得し、
これら機能画像を重ね合わせて新たな機能画像を生成する、
ことを特徴とする医用画像合成方法。
【請求項２】
前記互いに異なる複数の機能画像の論理積を取って前記新たな機能画像を生成することを特徴とする請求項１記載の医用画像合成方法。
【請求項３】
前記互いに異なる複数の機能画像の各空間分解能を合せ、これら空間分解能の合せられた前記複数の機能画像の論理積を取って前記新たな機能画像を生成することを特徴とする請求項１記載の医用画像合成方法。
【請求項４】
前記複数の機能画像の各空間分解能のうち最も低い空間分解能を有する前記機能画像に対して他の前記各機能画像の空間分解能を合せることを特徴とする請求項３記載の医用画像合成方法。
【請求項５】
前記空間分解能の合せられた前記複数の機能画像間の位置合せを行い、この後に前記複数の機能画像の論理積を取ることを特徴とする請求項３記載の医用画像合成方法。
【請求項６】
前記互いに異なる複数の機能画像は、磁気共鳴イメージング、陽電子放出コンピュータ断層撮影、単光子放出コンピュータ断層撮影又は超音波診断装置の各医用画像機器のうちいずれかの医用画像機器により取得されたことを特徴とする請求項１記載の医用画像合成方法。
【請求項７】
前記互いに異なる複数の機能画像は、核医学機器により取得された画像と、磁気共鳴イメージングにより取得された画像とを有することを特徴とする請求項１記載の医用画像合成方法。
【請求項８】
前記磁気共鳴イメージングにより取得された前記画像は、拡散画像を有することを特徴とする請求項７記載の医用画像合成方法。
【請求項９】
前記互いに異なる複数の機能画像は、陽電子放出コンピュータ断層撮影により取得された画像と、単光子放出コンピュータ断層撮影により取得された画像とを有することを特徴とする請求項１記載の医用画像合成方法。
【請求項１０】
前記互いに異なる複数の機能画像は、それぞれ核医学機器により取得され、かつ前記被検体に投与する放射性医薬品が異なる、
ことを特徴とする請求項１記載の医用画像合成方法。
【請求項１１】
前記互いに異なる複数の機能画像は、それぞれ同一の医用画像機器により取得され、かつ取得された時刻が異なる、
ことを特徴とする請求項１記載の医用画像合成方法。
【請求項１２】
前記互いに異なる複数の機能画像として陽電子放出コンピュータ断層撮影により取得された機能画像と、磁気共鳴イメージングにより取得された拡散画像とを用い、
前記拡散画像の空間分解能を前記機能画像の空間分解能に合せ、
前記拡散画像の歪み補正を行い、
前記空間分解能が合せられた前記機能画像と前記歪み補正された前記拡散画像との位置合せを行い、
これら位置合せされた前記機能画像と前記拡散画像との論理積を取って前記新たな機能画像を生成する、
ことを特徴とする請求項１記載の医用画像合成方法。
【請求項１３】
前記位置合せされた前記機能画像と前記拡散画像とからそれぞれ所定の各閾値を引き算し、
これら引き算された前記機能画像と前記拡散画像との前記論理積を取って前記新たな機能画像を生成する、
ことを特徴とする請求項１２記載の医用画像合成方法。
【請求項１４】
前記新たな機能画像は、複数のピクセルから成り、これらピクセルに対応して前記被検体に投与する放射性医薬品に基づくガンマ線検出の際に発生する位置信号のカウント値を記憶し、
このカウント値が予め設定された閾値以上であれば、当該ピクセルに一定のカウント値を記憶する、
ことを特徴とする請求項１２記載の医用画像合成方法。
【請求項１５】
前記新たな機能画像に対し、前記被検体の少なくとも形状を画像化した形態画像を合成することを特徴とする請求項１記載の医用画像合成方法。
【請求項１６】
前記形態画像は、少なくとも磁気共鳴イメージング、Ｘ線コンピュータ断層撮影、Ｘ線装置又は超音波診断装置の各医用画像機器のうちいずれかの医用画像機器により取得されたことを特徴とする請求項１５記載の医用画像合成方法。
【請求項１７】
前記新たな機能画像に対し、別の機能画像を合成することを特徴とする請求項１記載の医用画像合成方法。
【請求項１８】
少なくとも前記複数の機能画像と前記新たな機能画像とを並べて表示することを特徴とする請求項１記載の医用画像合成方法。
【請求項１９】
前記各機能画像の表示と共に、前記被検体の少なくとも形状を画像化した形態画像を並べて表示することを特徴とする請求項１８記載の医用画像合成方法。
【請求項２０】
複数の医用画像機器によりそれぞれ取得された互いに異なる複数の機能画像を取り込み、これら機能画像を重ね合わせて新たな機能画像を生成する画像生成手段、
を具備することを特徴とする医用画像合成装置。
【請求項２１】
前記画像生成手段は、前記互いに異なる複数の機能画像の論理積を取って前記新たな機能画像を生成することを特徴とする請求項２０記載の医用画像合成装置。
【請求項２２】
前記画像生成手段は、前記互いに異なる複数の機能画像の各空間分解能を合せる空間分解能合せ部と、
前記空間分解能合せ部により前記空間分解能が合せられた前記複数の機能画像の論理積を取って前記新たな機能画像を生成する生成部と、
を有することを特徴とする請求項２０記載の医用画像合成装置。
【請求項２３】
前記空間分解能合せ部は、前記複数の機能画像の各空間分解能のうち最も低い空間分解能を有する前記機能画像に対して他の前記各機能画像の空間分解能を合せることを特徴とする請求項２２記載の医用画像合成装置。
【請求項２４】
前記空間分解能合せ部により前記空間分解能が合せられた前記複数の機能画像間の位置合せを行う位置合せ部を有することを特徴とする請求項２２記載の医用画像合成装置。
【請求項２５】
前記複数の医用画像機器は、磁気共鳴イメージング装置、陽電子放出コンピュータ断層撮影装置、単光子放出コンピュータ断層撮影装置又は超音波診断装置を有することを特徴とする請求項２０記載の医用画像合成装置。
【請求項２６】
前記画像生成手段は、陽電子放出コンピュータ断層撮影装置により取得された機能画像と磁気共鳴イメージング装置により取得された拡散画像とを重ね合わせて前記新たな機能画像を生成することを特徴とする請求項２０記載の医用画像合成装置。
【請求項２７】
前記画像生成手段は、陽電子放出コンピュータ断層撮影装置により取得された機能画像と、単光子放出コンピュータ断層撮影により取得された機能画像とを重ね合わせて前記新たな機能画像を生成することを特徴とする請求項２０記載の医用画像合成装置。
【請求項２８】
前記被検体に対して異なる各放射性医薬品を投与し、
前記画像生成手段は、前記各放射性医薬品をそれぞれ投与したときに陽電子放出コンピュータ断層撮影装置によりそれぞれ取得された各機能画像を重ね合わせて前記新たな機能画像を生成することを特徴とする請求項２０記載の医用画像合成装置。
【請求項２９】
前記医用画像機器は、それぞれ異なる時刻に前記被検体の複数の前記機能画像を取得することを特徴とする請求項２０記載の医用画像合成装置。
【請求項３０】
前記画像生成手段は、陽電子放出コンピュータ断層撮影により取得された機能画像と、磁気共鳴イメージングにより取得された拡散画像とを取り込む画像取込部と、
前記拡散画像の空間分解能を前記機能画像の空間分解能に合せる空間分解能合せ部と、
前記拡散画像の歪み補正を行う補正部と、
前記空間分解能合せ部により前記空間分解能が合せられた前記機能画像と前記歪み補正された前記拡散画像との位置合せを行う位置合せ部と、
前記位置合せ部により位置合せされた前記機能画像と前記拡散画像との論理積を取って前記新たな機能画像を生成する生成部と、
を有することを特徴とする請求項２０記載の医用画像合成装置。
【請求項３１】
前記位置合せ部により位置合せされた前記機能画像と前記拡散画像とからそれぞれ所定の各閾値を引き算する引算部を有し、
前記生成部は、前記引算部により前記各閾値がそれぞれ引き算された前記機能画像と前記拡散画像との前記論理積を取って前記新たな機能画像を生成する、
ことを特徴とする請求項３０記載の医用画像合成装置。
【請求項３２】
前記新たな機能画像は、複数のピクセルから成り、
前記各ピクセルに対応して前記被検体に投与する放射性医薬品に基づくガンマ線検出の際に発生する位置信号のカウント値を記憶するカウントメモリと、
前記カウントメモリに記憶されている前記カウント値が予め設定された閾値以上であれば、当該ピクセルに一定のカウント値を入れ込むカウント入込部と、
を有することを特徴とする請求項３０記載の医用画像合成装置。
【請求項３３】
各種医用画像機器により取得された前記被検体の少なくとも形状を画像化した形態画像を取り込み、前記新たな機能画像に対して前記形態画像を合成する合成部、
を有することを特徴とする請求項２０記載の医用画像合成装置。
【請求項３４】
前記医用画像機器は、少なくとも磁気共鳴イメージング、Ｘ線コンピュータ断層撮影、Ｘ線装置又は超音波診断装置の各医用画像機器のうちいずれかを有することを特徴とする請求項３３記載の医用画像合成装置。
【請求項３５】
前記画像生成手段は、前記新たな機能画像に対して別の機能画像を合成することを特徴とする請求項２０記載の医用画像合成装置。
【請求項３６】
少なくとも前記複数の機能画像と前記新たな機能画像とを並べて表示する表示部を有することを特徴とする請求項２０記載の医用画像合成装置。
【請求項３７】
前記表示部は、前記各機能画像の表示と共に、前記被検体の少なくとも形状を画像化した形態画像を並べて表示することを特徴とする請求項３６記載の医用画像合成装置。
【発明の詳細な説明】
【技術分野】
【０００１】
本発明は、核医学機器・磁気共鳴イメージング装置又は超音波診断装置等に係わり、例えば体内等の被検体内の代謝や細胞の生死などの機能を画像化した機能画像を取得する医用画像合成方法及びその装置に関する。
【背景技術】
【０００２】
医用画像には、被検体として例えば体内の骨や腫瘍などの形状、大きさ、動き等を知るための形態画像と、体内の代謝や循環などの機能を知るための機能画像（ファンクショナル・イメージ）とがある。形態画像は、例えばＸ線コンピュータ断層撮影装置（Ｘ線ＣＴ装置）により取得されるＣＴ画像、Ｘ線装置により取得されるＸ線画像があり、さらに磁気共鳴イメージング装置（ＭＲＩ装置）により取得される形態画像、超音波診断装置（ＵＳ）により取得される超音波画像等を有する。
【０００３】
機能画像は、例えば核医学機器では、体内に投与した放射性医薬品の挙動を経時的に追跡して代謝や循環等の機能を画像化している。この機能画像は、例えば単光子放出コンピュータ断層撮影装置（ＳＰＥＣＴ装置）、陽電子放出コンピュータ断層撮影装置（ＰＥＴ装置）等の核医学機器により取得され、さらにＭＲＩ装置により取得される拡散画像（Ｄiffusionイメージ）、ＵＳ装置により取得される超音波画像等も有する。
【０００４】
機能画像の撮影手法としてＰＥＴ装置を用いたＦＤＧイメージングがある。ＦＤＧ（フルオロデオキシグルコース）は、体内の腫瘍の検査に使用するＰＥＴ装置用の１８Ｆ放射性医薬品である。ＦＤＧイメージングは、グルコースが正常部位よりも癌部位に多く取り込まれることを利用して癌部位のイメージングとして用いられる。
【０００５】
一方、ＭＲＩ装置を用いたＤiffusionイメージングも癌部位を画像化できる機能画像として知られている。このＤiffusionイメージングは、水分子の微小な動き（拡散）によってＭＲＩ信号の位相が僅かに変化するので、このＭＲＩ信号の位相変化をＭＰＧ（モーション・プロービング・グラジエント：Ｍotion Ｐrobing Ｇradient）パルスと呼ばれる撮像シーケンスによって捉えて画像化する手法である。ＭＰＧパルスは、各画像ピクセル内の対象核種を含んだ分子の微細な動きによる横磁化スピンの位相ずれを強調するための付加的な傾斜磁場パルスである。すなわち、ＭＲＩ装置には、スピンエコー法（ＳＥ法）とエコープラナーイメージング法（ＥＰＩ法）との撮影法がある。これら撮影法は、繰り返し時間、エコー時間を適当に設定することにより対象核種自体の密度等を画像の信号値に反映することができ、さらに励起パルスの印加からエコーデータ収集までの間に付加的な傾斜磁場パルス（ＭＰＧパルス）を印加することによって画像に特定の情報を与えることを可能とする。ＭＲＩ装置におけるＭＰＧパルスに関しては、例えば特許文献１に開示されている。
【０００６】
拡散（Ｄiffusion）は、正常部位に対して例えば梗塞部位で低く、腫瘍部位で高くなる。従って、Ｄiffusionイメージングでは、拡散の程度に応じて正常部位や例えば梗塞部位、腫瘍部位等を鑑別している。Ｄiffusionイメージングの撮影では、体動や呼吸、心拍などの生理的な動きの影響の少ない超高速イメージング法が前提として用いられ、かつ画像のＳＮ比を向上するためにフェーズドアレイコイルと呼ばれる多コイルが用いられる。
【０００７】
最近の胴体拡散強調イメージング（Ｂody Ｄiffusion Ｗeighted Ｉmaging）は、Ｄiffusionイメージングの撮影を多数回行い、これら撮影により取得された各画像の加算平均を行ってさらに画像のＳＮ比を向上している。
【０００８】
しかしながら、ＰＥＴ装置を用いたＦＤＧイメージングは、癌部位のイメージングとして用いられるが、このＦＤＧイメージングに使用されるＦＤＧ等のグルコースは、癌部位だけでなく、生理的な集積順序により肝臓、脳、食後の心臓、腎臓、膀胱、消化管、腺組織、炎症部位にも集積することが知られている。このため、ＦＤＧイメージングは、癌部位だけでなく、癌部位以外の部位、例えば肝臓部位であれば、血管種、膿瘍、肝内胆管炎等、さらには心拍の影響を受ける部位も画像化してしまう可能性が高い。すなわち、ＦＤＧイメージングは、癌部位のイメージングとして用いられるが、確実に癌部位として撮影されている可能性が低い。この結果、ＦＤＧイメージングにより取得された画像を読み取って診断を行う場合、癌部位なのか、癌部位以外の部位なのかを判断することが非常に難しい。
【０００９】
ＭＲＩ装置を用いたＤiffusionイメージングも癌部位を画像化できる機能画像として知られているが、このＤiffusionイメージングは、拡散の程度に応じて正常部位や例えば梗塞部位、腫瘍部位等を鑑別しているために、ＰＥＴ装置を用いたＦＤＧイメージングと同様に、癌部位以外の部位、例えば肝臓部位であれば、血管種、膿瘍、肝内胆管炎等、さらには心拍の影響を受ける部位も画像化してしまう可能性が高い。このため、Ｄiffusionイメージングでも診断を行う場合、癌部位なのか、癌部位以外の部位なのかを判断することが非常に難しい。
【特許文献１】特許第３６７９８９２号公報
【発明の開示】
【発明が解決しようとする課題】
【００１０】
本発明の目的は、癌部位を単一の機能画像を用いて推定を行うことに比較して、より精度高く推定できる機能画像のイメージングを行うことができる医用画像合成方法及びその装置を提供することにある。
【課題を解決するための手段】
【００１１】
請求項１記載の本発明の医用画像合成方法は、被検体内の機能を画像化した互いに異なる複数の機能画像を取得し、これら機能画像を重ね合わせて新たな機能画像を生成する。
【００１２】
請求項２０記載の本発明の医用画像合成装置は、複数の医用画像機器によりそれぞれ取得された互いに異なる複数の機能画像を取り込み、これら機能画像を重ね合わせて新たな機能画像を生成する画像生成手段を具備する。
【発明の効果】
【００１３】
本発明によれば、単一の機能画像を用いて推定するより癌部位をより精度高く推定できる機能画像のイメージングを行うことができる医用画像合成方法及びその装置を提供できる。
【発明を実施するための最良の形態】
【００１４】
以下、本発明の第１の実施の形態について図面を参照して説明する。  
図１は医用画像合成装置の機能ブロック図を示す。ＰＥＴ装置１は、被検体として人体の体内に例えば核種１８ＦであるＦＤＧの放射性医薬品を投与したときの挙動を追跡し、例えばグルコースが正常部位よりも癌部位に多く取り込まれることを利用して癌部位をイメージングした機能画像を取得する。図２はＰＥＴ装置１の概略構成図を示す。このＰＥＴ装置１は、円形状に一対の検出器２ａ、２ｂ、３ａ、３ｂ、…、ｎａ、ｎｂを複数組配列する。被検体５にＦＤＧの放射性医薬品を投与したとき、ポジトロン核種１８Ｆから１８０度反対方向に放出されるガンマ線を一対の検出器２ａ、２ｂ、３ａ、３ｂ、…、ｎａ、ｎｂにより同時に検出したとき、例えば一対の検出器２ａ、２ｂに１カウントを与える。画像処理部６は、各一対の検出器２ａ、２ｂ、３ａ、３ｂ、…、ｎａ、ｎｂの各カウント出力を取り込み、被検体５におけるＦＤＧの分布を断層像（以下、ＰＥＴ断層像と称する）として出力する。図３は被検体５のＰＥＴ断層像ＰＤ１の一例を示す。ＰＥＴ装置１において被検体５の全身をスキャンすれば、画像処理部６は、被検体５の各断層像を画像再構成して例えば図４に示す体軸横断像（以下、ＰＥＴ体軸横断像と称する）ＰＤ２を出力する。
【００１５】
ＭＲＩ装置７は、Ｄiffusionイメージングによって被検体５内の癌部位を画像化（以下、Ｄiffusion画像と称する）して出力する。図５はＭＲＩ装置７の概略構成図を示す。磁場発生用ケーシング８と寝台９とを有する。寝台９上には、被検体５が載置される。磁場発生用ケーシング８は、例えば超電導磁石と傾斜磁場コイルとを有し、超電導磁石により静磁場を発生し、傾斜磁場コイルにより傾斜磁場を発生する。磁場部１０は、超電導磁石と傾斜磁場コイルとからそれぞれ静磁場と傾斜磁場とを発生動作させる。磁場発生用ケーシング８には、ＲＦコイルが設けられている。送受信部１１は、ＲＦコイルに高周波信号を与え、ＲＦコイルから高周波磁場を発生させて被検体５に加える。送受信部１１は、ＲＦコイルを介して被検体５に高周波磁場を加えたときの微弱な共鳴信号を検出し、ＭＲＩ信号として出力する。
【００１６】
Ｄiffusionイメージングは、水分子の微小な動き（拡散）によってＭＲＩ信号の位相が僅かに変化するので、このＭＲＩ信号の位相変化をＭＰＧパルス（付加的な傾斜磁場パルス）を印加する撮像シーケンスによって捉える。画像処理部１２は、Ｄiffusionイメージング時のＭＲＩ信号に対して２次元／３次元フーリエ変換してＭＲＩ・Ｄiffusion画像を再構成する。図６は被検体５のＭＲＩ・Ｄiffusion断層像ＭＤ１の一例を示す。画像処理部１２は、被検体５の各断層像を画像再構成して例えば図７に示す被検体５の体軸横断像（以下、ＭＲＩ・Ｄiffusion体軸横断像と称する）ＭＤ２を取得する。
【００１７】
又、ＭＲＩ装置７は、磁場発生用ケーシング８内に静磁場を発生させると共に傾斜磁場を発生させ、この状態でＲＦコイルから高周波磁場を発生させ、かつ被検体５に高周波磁場を加えたときの微弱な共鳴信号をＲＦコイルにより検出し、ＭＲ信号を出力する。画像処理部１２は、ＭＲＩ信号に対して２次元／３次元フーリエ変換してＭＲＩ形態画像を再構成する。このＭＲＩ形態画像は、被検体５内の骨や腫瘍などの形状、大きさ、動き等を表す形態画像である。
【００１８】
装置本体１３は、コンピュータにより成り、互いに異なる複数の機能画像、すなわちＰＥＴ装置１により取得されたＰＥＴ断層像ＰＤ１やＰＥＴ体軸横断像ＰＤ２、ＭＲＩ装置７により取得されたＭＲＩ・Ｄiffusion断層像ＭＤ１やＭＲＩ・Ｄiffusion体軸横断像ＭＤ２を取り込み、これら機能画像を重ね合わせて新たな機能画像を生成する。具体的に装置本体１３は、ＣＰＵから成る主制御部１４と、この主制御部１４から発する指令によりそれぞれ動作する画像取込部１５と、空間分解能合せ部１６と、補正部１７と、位置合せ部１８と、引算部１９と、生成部２０と、カウントメモリ２１と、カウント入込部２２と、合成部２３と、表示部２４と、記憶部２５とを有する。
【００１９】
画像取込部１５は、ＰＥＴ装置１からＰＥＴ断層像ＰＤ１やＰＥＴ体軸横断像ＰＤ２を取り込んで記憶部２５に記憶し、かつＭＲＩ装置７からＭＲＩ・Ｄiffusion断層像ＭＤ１やＭＲＩ・Ｄiffusion体軸横断像ＭＤ２を取り込んで記憶部２５に記憶する。又、画像取込部１５は、ＭＲＩ装置７からＭＲＩ形態画像を取り込んで記憶部２５に記憶する。
【００２０】
空間分解能合せ部１６は、ＰＥＴ装置１により取得されたＰＥＴ断層像ＰＤ１とＭＲＩ装置７により取得されたＭＲＩ・Ｄiffusion断層像ＭＤ１との空間分解能を合せる。この空間分解能合せ部１６は、例えばＰＥＴ断層像ＰＤ１とＭＲＩ・Ｄiffusion断層像ＭＤ１との各空間分解能を求め、低い空間分解能を有する機能画像に対して他の機能画像の空間分解能、例えばＰＥＴ断層像ＰＤ１の空間分解能に対してＭＲＩ・Ｄiffusion断層像ＭＤ１の空間分解能を合せる。又、空間分解能合せ部１６は、ＰＥＴ体軸横断像ＰＤ２の空間分解能に対してＭＲＩ・Ｄiffusion体軸横断像ＭＤ２の空間分解能を合せる。この空間分解能合せ部１６は、空間分解能を合せる手法として例えば空間分解能をぼかすフィルタを用いる。
【００２１】
補正部１７は、ＭＲＩ装置７により取得されたＭＲＩ・Ｄiffusion断層像ＭＤ１やＭＲＩ・Ｄiffusion体軸横断像ＭＤ２の歪み補正を行う。上述したようにＤiffusionイメージングは、水分子の微小な動き（拡散）によってＭＲＩ信号の位相が僅かに変化するので、このＭＲＩ信号の位相変化をＭＰＧ（モーション・プロービング・グラジエント：Ｍotion Ｐrobing Ｇradient）パルスと呼ばれる撮像シーケンスによって捉えて画像化する。このＭＰＧパルスは、各画像ピクセル内の対象核種を含んだ分子の微細な動きによる横磁化スピンの位相ずれを強調するための付加的な傾斜磁場パルスである。
【００２２】
この付加的な傾斜磁場パルスは、撮影対象の速度が遅い場合、画像化に必要な傾斜磁場とは独立に傾斜磁場強度を大きくする必要がある。特にＭＰＧは、傾斜磁場強度を大きくする必要があり、使用する装置の最大傾斜磁場強度のＭＰＧを数十ミリ秒印加する場合もある。このような付加的な傾斜磁場パルスを印加すると、これによって生じる渦磁場を補償する渦磁場補償回路の調整ずれなどの影響によって、エコー収集中において撮像に不必要な磁場分布が生じるという問題がある。不必要な磁場分布の発生によって、画像の歪み等の位相成分の変化等が起こることが数多く報告されている。
【００２３】
このような付加的な傾斜磁場パルスを印加することによって生じる画像の歪み等を抑制する手法が例えば上記特許文献１に開示されている。この特許文献１は、画像化に必要な傾斜磁場以外に付加的な傾斜磁場パルスを印加する磁気共鳴イメージング装置において、付加的な傾斜磁場パルスを印加によって生じる画質劣化を補正するため、画像化におけるエコー信号検波の中心周波数を変更する周波数変更手段を備えることを開示する。従って、補正部１７は、特許文献１に開示されている手法を用いてＭＲＩ・Ｄiffusion断層像ＭＤ１やＭＲＩ・Ｄiffusion体軸横断像ＭＤ２の歪み補正を行う。
【００２４】
位置合せ部１８は、空間分解能合せ部１６により空間分解能が合せられた各機能画像、例えばＰＥＴ断層像ＰＤ１とＭＲＩ・Ｄiffusion断層像ＭＤ１、又はＰＥＴ体軸横断像ＰＤ２とＭＲＩ・Ｄiffusion体軸横断像ＭＤ２との位置合せを行う。なお、説明を簡素化するために、ＰＥＴ体軸横断像ＰＤ２とＭＲＩ・Ｄiffusion体軸横断像ＭＤ２とを用いて説明する。
【００２５】
引算部１９は、位置合せ部１８により位置合せされた各機能画像、例えばＰＥＴ体軸横断像ＰＤ２とＭＲＩ・Ｄiffusion体軸横断像ＭＤ２とにそれぞれ含まるノイズ成分を除去するための各閾値を設定し、ＰＥＴ体軸横断像ＰＤ２とＭＲＩ・Ｄiffusion体軸横断像ＭＤ２とからそれぞれ各閾値を引き算する。図８はＰＥＴ体軸横断像ＰＤ２とＭＲＩ・Ｄiffusion体軸横断像ＭＤ２との各位置に対するカウント値、すなわち一対の検出器２ａ、２ｂ、３ａ、３ｂ、…、ｎａ、ｎｂによりガンマ線を同時に検出したカウント値の一例を示す。引算部１９は、ＰＥＴ体軸横断像ＰＤ２に対して閾値Ｔｈ１を設定して引き算し、図９に示すＰＥＴ体軸横断像ＰＤ２を算出する。これと共に引算部１９は、ＭＲＩ・Ｄiffusion体軸横断像ＭＤ２に対して閾値Ｔｈ２を設定して引き算し、図９に示すＭＲＩ・Ｄiffusion体軸横断像ＭＤ２を算出する。
【００２６】
生成部２０は、引算部１９により各閾値がそれぞれ引き算された各機能画像、例えば図９に示すＰＥＴ体軸横断像ＰＤ２とＭＲＩ・Ｄiffusion体軸横断像ＭＤ２との論理積（ＡＮＤ）を取って図１０に示す新たな機能画像（以下、ＡＮＤ画像と称する）を生成する。又、図１１はＡＮＤ画像ＡＤの模式例を示す。このＡＮＤ画像に現れている各部位Ｃ１、Ｃ２を癌として推定する確率は高い。
【００２７】
このように生成部２０により生成された新たなＡＮＤ画像は、複数のピクセルから成る。又、ＡＮＤ画像におけるカウント値は、意味がない。なお、一対の検出器２ａ、２ｂ、３ａ、３ｂ、…、ｎａ、ｎｂによりガンマ線を同時に検出したとき、例えば一対の検出器２ａ、２ｂに１カウントを与える。画像処理部６は、各一対の検出器２ａ、２ｂ、３ａ、３ｂ、…、ｎａ、ｎｂの各カウント出力を取り込み、被検体５のＰＥＴ断層像として出力する。従って、生成部２０により生成されたＡＮＤ画像に対して適当な一定値をカウントが有意なカウント以上あるピクセルに対して埋め込むことによって各機能画像、例えばＰＥＴ断層像ＰＤ１とＭＲＩ・Ｄiffusion断層像ＭＤ１とのＡＮＤ画像を生成する。しかるに、カウントメモリ２１と、カウント入込部２２と、合成部２３とを有する。
【００２８】
カウントメモリ２１は、例えばＰＥＴ体軸横断像ＰＤ２とＭＲＩ・Ｄiffusion体軸横断像ＭＤ２とのＡＮＤ画像における各ピクセルに対応して被検体５に投与する例えば核種１８ＦであるＦＤＧの放射性医薬品に基づくガンマ線検出の際に発生する位置信号のカウント値を記憶する。  
カウント入込部２２は、カウントメモリ２１に記憶されているカウント値が予め設定された閾値以上であれば、当該ピクセルに一定のカウント値をＡＮＤ画像に入れ込む。
【００２９】
合成部２３は、カウント入込部２２により一定のカウント値が入れ込まれたＡＮＤ画像を受け取り、このＡＮＤ画像に対して形態画像、例えばＭＲＩ装置７により取得されるＭＲＩ形態を重ね合わせる。なお、合成部２３は、ＭＲＩ装置７に限らず、形態画像を取得できる医用画像機器、例えばＸ線コンピュータ断層撮影、Ｘ線装置又は超音波診断装置により取得される形態画像をＡＮＤ画像に対して重ね合わせてもよい。図１２はＡＮＤ画像とＭＲＩ装置７により取得されるＭＲＩ形態画像との重ね合わせ画像ＫＤの一例を示す。
【００３０】
表示部２４は、ディスプレイ２６の表示画面上に生成部２０により生成されたＡＮＤ画像ＡＤを表示したり、又は例えば図１３に示すようにＡＮＤ画像ＡＤと、ＰＥＴ装置１により取得されたＰＥＴ体軸横断像ＰＤ２、ＭＲＩ装置７により取得されたＭＲＩ・Ｄiffusion体軸横断像ＭＤ２とを並べて表示したり、さらに合成部２３により取得された重ね合わせ画像ＫＤを並べて表示する。
【００３１】
次に、上記の如く構成された装置による医用画像合成について図１４に示す医用画像合成フローチャートに従って説明する。  
被検体として人体の体内に例えば核種１８ＦであるＦＤＧの放射性医薬品が投与される。ＰＥＴ装置１は、被検体として人体の体内に例えば核種１８ＦであるＦＤＧの放射性医薬品を投与したときの挙動を追跡し、例えばグルコースが正常部位よりも癌部位に多く取り込まれることを利用して癌部位をイメージングした機能画像、例えば図３に示すような被検体５のＰＥＴ断層像ＰＤ１を出力する。ＰＥＴ装置１において被検体５の全身をスキャンすれば、画像処理部６は、被検体５の各断層像を画像再構成して例えば図４に示すＰＥＴ体軸横断像ＰＤ２を出力する。
【００３２】
一方、ＭＲＩ装置７は、Ｄiffusionイメージングによって例えば図６に示すような被検体５のＭＲＩ・Ｄiffusion断層像ＭＤ１を取得する。このＭＲＩ装置７は、被検体５の各断層像を画像再構成して例えば図７に示すようなＭＲＩ・Ｄiffusion体軸横断像ＭＤ２を取得する。又、ＭＲＩ装置７は、被検体５内の骨や腫瘍などの形状、大きさ、動き等を表す形態画像としてのＭＲＩ形態画像も取得する。
【００３３】
次に、画像取込部１５は、例えばＰＥＴ装置１からＰＥＴ体軸横断像ＰＤ２を取り込んで記憶部２５に記憶し、かつＭＲＩ装置７からＭＲＩ・Ｄiffusion体軸横断像ＭＤ２を取り込んで記憶部２５に記憶する。又、画像取込部１５は、ＭＲＩ装置７から形態画像としてのＭＲＩ画像を取り込んで記憶部２５に記憶する。
【００３４】
次に、空間分解能合せ部１６は、ステップ＃１において、ＰＥＴ装置１により取得されたＰＥＴ体軸横断像ＰＤ２とＭＲＩ装置７により取得されたＭＲＩ・Ｄiffusion体軸横断像ＭＤ２との各空間分解能を求め、低い空間分解能を有する機能画像に対して他の機能画像の空間分解能、例えばＰＥＴ体軸横断像ＰＤ２の空間分解能に対してＭＲＩ・Ｄiffusion体軸横断像ＭＤ２の空間分解能を合せる。この場合、空間分解能合せ部１６は、空間分解能を合せる手法として例えば空間分解能をぼかすフィルタを用いる。
【００３５】
次に、補正部１７は、ステップ＃２において、ＭＲＩ装置７における付加的な傾斜磁場パルスを印加することによって生じる画像の歪み等を抑制するために、ＭＲＩ装置７により取得されたＭＲＩ・Ｄiffusion体軸横断像ＭＤ２の歪み補正を行う。  
次に、位置合せ部１８は、ステップ＃３において、空間分解能合せ部１６により空間分解能が合せられたＰＥＴ体軸横断像ＰＤ２とＭＲＩ・Ｄiffusion体軸横断像ＭＤ２との位置合せを行う。
【００３６】
次に、引算部１９は、ステップ＃４において、位置合せ部１８により位置合せされたＰＥＴ体軸横断像ＰＤ２とＭＲＩ・Ｄiffusion体軸横断像ＭＤ２とにそれぞれ含まるノイズ成分を除去するための各閾値、例えば図８におけるＰＥＴ体軸横断像ＰＤ２とＭＲＩ・Ｄiffusion体軸横断像ＭＤ２との各位置に対するガンマ線の同時検出時のカウント値に示すようにＰＥＴ体軸横断像ＰＤ２に対して閾値Ｔｈ１を設定し、ＭＲＩ・Ｄiffusion体軸横断像ＭＤ２に対して閾値Ｔｈ２を設定する。  
引算部１９は、ＰＥＴ体軸横断像ＰＤ２から閾値Ｔｈ１を引き算して図９に示すＰＥＴ体軸横断像ＰＤ２を算出する。これと共に引算部１９は、ＭＲＩ・Ｄiffusion体軸横断像ＭＤ２から閾値Ｔｈ２を引き算して図９に示すＭＲＩ・Ｄiffusion体軸横断像ＭＤ２を算出する。
【００３７】
次に、生成部２０は、ステップ＃５において、引算部１９により算出された図９に示すＰＥＴ体軸横断像ＰＤ２とＭＲＩ・Ｄiffusion体軸横断像ＭＤ２との論理積（ＡＮＤ）を取って図１０に示すＡＮＤ画像を生成する。図１１はＡＮＤ画像ＡＤの模式例を示す。このＡＮＤ画像に現れている各部位Ｃ１、Ｃ２を癌として推定する確率は高い。  
この時点で、表示部２４は、生成部２０により生成されたＡＮＤ画像ＡＤを受け取り、このＡＮＤ画像ＡＤをディスプレイ２６の表示画面上に表示する。
【００３８】
さらに、生成部２０により生成されたＡＮＤ画像ＡＤに対して適当な一定値をカウントが有意なカウント以上あるピクセルに対して埋め込むことによって例えばＰＥＴ断層像ＰＤ１とＭＲＩ・Ｄiffusion断層像ＭＤ１とのＡＮＤ画像を生成する。すなわち、カウントメモリ２１は、例えばＰＥＴ体軸横断像ＰＤ２とＭＲＩ・Ｄiffusion体軸横断像ＭＤ２とのＡＮＤ画像ＡＤにおける各ピクセルに対応して被検体５に投与する例えば核種１８ＦであるＦＤＧの放射性医薬品に基づくガンマ線検出の際に発生する位置信号のカウント値を記憶する。
【００３９】
カウント入込部２２は、ステップ＃６において、カウントメモリ２１に記憶されているカウント値が予め設定された閾値以上であれば、当該ピクセルに一定のカウント値をＡＮＤ画像ＡＤに入れ込む。これによりＡＮＤ画像ＡＤ中において予め設定された閾値以上のピクセルに一定のカウント値が入れ込まれるので、例えば予め設定された閾値以上となる例えば癌部位では、カウント値が大きくなって強調された画像となる。
【００４０】
次に、合成部２３は、ステップ＃７において、カウント入込部２２により一定のカウント値が入れ込まれたＡＮＤ画像ＡＤを受け取り、このＡＮＤ画像ＡＤに対して形態画像、例えばＭＲＩ装置７により取得されたＭＲＩ形態画像を重ね合わせ、例えば図１２に示すようなＡＮＤ画像ＡＤとＭＲＩ装置７により取得されたＭＲＩ形態画像との重ね合わせ画像ＫＤを取得する。
【００４１】
表示部２４は、ディスプレイ２６の表示画面上に、上記の如く生成部２０により生成されたＡＮＤ画像ＡＤを表示したり、又は例えば図１３に示すようにＡＮＤ画像ＡＤと、ＰＥＴ装置１により取得されたＰＥＴ体軸横断像ＰＤ２、ＭＲＩ装置７により取得されたＭＲＩ・Ｄiffusion体軸横断像ＭＤ２とを並べて表示したり、さらに合成部２３により取得された重ね合わせ画像ＫＤを並べて表示する。
【００４２】
このように上記第１の実施の形態によれば、ＰＥＴ装置１により取得されたＰＥＴ体軸横断像ＰＤ２とＭＲＩ装置７により取得されたＭＲＩ・Ｄiffusion体軸横断像ＭＤ２とのＡＮＤ画像ＡＤを生成し、ディスプレイ２６の表示画面上に表示するので、これらＰＥＴ体軸横断像ＰＤ２及びＭＲＩ・Ｄiffusion体軸横断像ＭＤ２の個々の画像より表される癌部位の推定確率が低く、かつ癌部位か在るか無いかのみを表す画像であっても、これらＰＥＴ体軸横断像ＰＤ２とＭＲＩ・Ｄiffusion体軸横断像ＭＤ２とのＡＮＤ画像ＡＤを取得することにより当該ＡＮＤ画像ＡＤ上に現れている各部位Ｃ１、Ｃ２を強調して癌として推定する確率を高くできる。すなわち、各癌部位Ｃ１、Ｃ２は、ＰＥＴ体軸横断像ＰＤ２及びＭＲＩ・Ｄiffusion体軸横断像ＭＤ２の各画像上に映し出されるはずであり、癌部位以外は当該両画像上に映し出されることは無く、いずれか一方に映し出されるはずである。してみれば、ＰＥＴ体軸横断像ＰＤ２とＭＲＩ・Ｄiffusion体軸横断像ＭＤ２とのＡＮＤ画像ＡＤを取得すれば、当該ＡＮＤ画像ＡＤ上に映し出される各部位Ｃ１、Ｃ２は、癌の可能性が非常に高くなる。従って、ただ単に、単独の機能画像、例えばＰＥＴ体軸横断像ＰＤ２に対してＭＲＩ形態画像等の形態画像を重ね合せて生成した画像よりも確率高く癌部位Ｃ１、Ｃ２を画像上に明示できる。
【００４３】
カウントメモリ２１は、例えばＰＥＴ体軸横断像ＰＤ２とＭＲＩ・Ｄiffusion体軸横断像ＭＤ２とのＡＮＤ画像ＡＤにおける各ピクセルに対応して被検体５に投与する例えば核種１８ＦであるＦＤＧの放射性医薬品に基づくガンマ線検出の際に発生する位置信号のカウント値を記憶しており、このカウント値が予め設定された閾値以上であれば、当該ピクセルに一定のカウント値をＡＮＤ画像ＡＤに入れ込むので、例えば予め設定された閾値以上となる例えば癌部位では、カウント値が大きくなって強調された画像となり、各部位Ｃ１、Ｃ２を癌として推定する確率をさらに高くできる。
【００４４】
表示部２４は、ディスプレイ２６の表示画面上に、ＡＮＤ画像ＡＤを表示したり、又は例えば図１３に示すようにＡＮＤ画像ＡＤと、ＰＥＴ装置１により取得されたＰＥＴ体軸横断像ＰＤ２、ＭＲＩ装置７により取得されたＭＲＩ・Ｄiffusion体軸横断像ＭＤ２とを並べて表示したり、さらに合成部２３により取得された重ね合わせ画像ＫＤを並べて表示するので、これらディスプレイ２６の表示画面上に表示される各画像を観察することにより、各癌部位Ｃ１、Ｃ２の場所を特定可能である。特にＡＮＤ画像ＡＤとＭＲＩ装置７により取得されたＭＲＩ形態画像との重ね合わせ画像ＫＤを表示することにより、ＭＲＩ形態画像は、被検体５として例えば体内の骨や腫瘍などの形状、大きさ、動き等を知ることができるので、各癌部位Ｃ１、Ｃ２の場所を特定し易い。
【００４５】
なお、上記第１の実施の形態では、説明を簡素化するために、ＰＥＴ体軸横断像ＰＤ２とＭＲＩ・Ｄiffusion体軸横断像ＭＤ２とを用いて説明したが、ＰＥＴ装置１により取得されたＰＥＴ断層像ＰＤ１とＭＲＩ装置７により取得されたＭＲＩ・Ｄiffusion断層像ＭＤ１とのＡＮＤ画像を求めてもよいことは言うまでもない。簡単に説明すると、空間分解能合せ部１６は、ステップ＃１において、ＰＥＴ断層像ＰＤ１とＭＲＩ・Ｄiffusion断層像ＭＤ１との空間分解能を合せる。  
次に、補正部１７は、ステップ＃２において、ＭＲＩ・Ｄiffusion断層像ＭＤ１の歪み補正を行う。  
次に、位置合せ部１８は、ステップ＃３において、空間分解能合せ部１６により空間分解能が合せられたＰＥＴ断層像ＰＤ１とＭＲＩ・Ｄiffusion断層像ＭＤ１との位置合せを行う。
【００４６】
次に、引算部１９は、ステップ＃４において、位置合せ部１８により位置合せされたＰＥＴ断層像ＰＤ１とＭＲＩ・Ｄiffusion断層像ＭＤ１とにそれぞれ含まるノイズ成分を除去するための各閾値を設定し、引き算を行う。  
次に、生成部２０は、ステップ＃５において、引算部１９により算出されたＰＥＴ断層像ＰＤ１とＭＲＩ・Ｄiffusion断層像ＭＤ１との論理積（ＡＮＤ）を取ってＡＮＤ画像を生成する。このＡＮＤ画像ＡＤは、ディスプレイ２６の表示画面上に表示される。
【００４７】
さらに、ステップ＃６において、ＰＥＴ断層像ＰＤ１とＭＲＩ・Ｄiffusion断層像ＭＤ１とのＡＮＤ画像に対して適当な一定値をカウントが有意なカウント以上あるピクセルに対して埋め込むことによって例えばＰＥＴ断層像ＰＤ１とＭＲＩ・Ｄiffusion断層像ＭＤ１とのＡＮＤ画像を生成する。これにより、例えば癌部位では、カウント値が大きくなって強調された画像となる。
【００４８】
次に、合成部２３は、ステップ＃７において、カウント入込部２２により一定のカウント値が入れ込まれたＡＮＤ画像ＡＤを受け取り、このＡＮＤ画像ＡＤに対して形態画像、例えばＭＲＩ装置７により取得されたＭＲＩ形態画像を重ね合わせた重ね合わせ画像を取得する。  
表示部２４は、ディスプレイ２６の表示画面上に、上記の如く生成部２０により生成されたＡＮＤ画像を表示したり、又は当該ＡＮＤ画像と、ＰＥＴ断層像ＰＤ１と、ＭＲＩ・Ｄiffusion断層像ＭＤ１とを並べて表示したり、さらに合成部２３により取得された重ね合わせ画像を並べて表示する。
【００４９】
次に、他の実施の形態について説明する。上記第１の実施の形態では、機能画像を取得する医用画像機器としてＰＥＴ装置１とＭＲＩ装置７のＤiffusionイメージングとについて説明したが、これに限らず、ＳＰＥＣＴ装置又はＵＳ装置を用いてもよい。  
ＰＥＴ体軸横断像ＰＤ２とＭＲＩ・Ｄiffusion体軸横断像ＭＤ２とのＡＮＤ画像に限らず、複数の機能画像のＡＮＤ画像、例えばＰＥＴ体軸横断像ＰＤ２と、ＭＲＩ・Ｄiffusion体軸横断像ＭＤ２と、ＳＰＥＣＴ装置により取得される機能画像、ＵＳ装置により取得される機能ＵＳ画像とのうち少なくとも２つの機能画像のＡＮＤ画像を生成してもよい。  
又、ＡＮＤ画像は、例えばＰＥＴ装置１により取得される複数のＰＥＴ断層像ＰＤ１、又は複数のＰＥＴ体軸横断像ＰＤ２をそれぞれＡＮＤして生成してもよい。この場合、複数のＰＥＴ断層像ＰＤ１、又は複数のＰＥＴ体軸横断像ＰＤ２は、例えばそれぞれ撮影時刻が異なるものをＡＮＤする。
【００５０】
上記第１の実施の形態では、ＰＥＴ体軸横断像ＰＤ２とＭＲＩ・Ｄiffusion体軸横断像ＭＤ２とのＡＮＤ画像ＡＤを生成し、このＡＮＤ画像ＡＤに対してＭＲＩ装置７により取得された形態画像との重ね合わせた画像ＫＤを生成しているが、ＡＮＤ画像ＡＤに対してＳＰＥＣＴ装置又はＵＳ装置により取得された機能画像を重ね合わせてもよい。  
形態画像を取得する医用画像機器としては、ＭＲＩ装置２に限らず、Ｘ線ＣＴ装置、Ｘ線装置又はＵＳ装置を用いてもよい。
【００５１】
上記第１の実施の形態では、ＰＥＴ画像とＭＲＩ・Ｄiffusion画像とのＡＮＤ画像を生成し、これにＭＲＩ形態画像を重ね合わせるＦusion画像の生成について説明したが、Ｆusion画像としては、次のようにして取得した各形成画像を重ね合わせてもよい。例えば、ＰＥＴ画像とＭＲＩ形態画像との偏差の画像を用いて生成する。ＭＲＩ・Ｄiffusion画像とＭＲＩ形態画像との偏差の画像を用いて生成する。ＰＥＴ画像とＭＲＩ・Ｄiffusion画像との偏差の画像を用いて生成する。ＰＥＴ画像とＭＲＩ・Ｄiffusion画像とのＡＮＤ画像を生成し、このＡＮＤ画像とＭＲＩ形態画像との偏差の画像を用いて生成する。ＰＥＴ画像とＭＲＩ・Ｄiffusion画像とのＡＮＤ画像を生成し、このＡＮＤ画像とＰＥＴ画像との偏差の画像を用いて生成する。ＰＥＴ画像とＭＲＩ・Ｄiffusion画像とのＡＮＤ画像を生成し、このＡＮＤ画像とＭＲＩ・Ｄiffusion画像との偏差の画像を用いて生成する。
【００５２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
【図面の簡単な説明】
【００５３】
【図１】本発明に係る医用画像合成装置の第１の実施の形態を示す機能ブロック図。
【図２】同装置に用いられるＰＥＴ装置の概略構成図。
【図３】同装置に用いられるＰＥＴ装置により取得されるＰＥＴ断層像の一例を示す模式図。
【図４】同装置に用いられるＰＥＴ装置により取得されるＰＥＴ体軸横断像の一例を示す模式図。
【図５】同装置に用いられるＭＲＩ装置の概略構成図。
【図６】同装置に用いられるＭＲＩ装置により取得されるＭＲＩ断層像の一例を示す模式図。
【図７】同装置に用いられるＭＲＩ装置により取得されるＭＲＩ体軸横断像の一例を示す模式図。
【図８】同装置により取得されるＰＥＴ体軸横断像とＭＲＩ・Ｄiffusion体軸横断像との各位置に対するカウント値の一例を示す図。
【図９】同装置における引き算部により取得される各閾値との引き算を行ったＰＥＴ体軸横断像とＭＲＩ・Ｄiffusion体軸横断像との各位置に対するカウント値の一例を示す図。
【図１０】同装置における生成部により取得されたＡＮＤ画像のカウント値の一例を示す図。
【図１１】同装置における生成部により生成されるＡＮＤ画像の一例を示す模式図。
【図１２】同装置における合成部により生成されるＡＮＤ画像とＭＲＩ装置により取得される形態画像との重ね合わせ画像の一例を示す模式図。
【図１３】同装置におけるディスプレイの表示画面上に表示される画像の表示例を示す図。
【図１４】同装置における医用画像合成フローチャート。
【符号の説明】
【００５４】
１：ＰＥＴ装置、２ａ，２ｂ，３ａ，３ｂ，…，ｎａ，ｎｂ：一対の検出器、５：被検体、６：画像処理部、７：ＭＲＩ装置、８：磁場発生用ケーシング、９：寝台、１０：磁場部、１１：送受信部、１２：画像処理部、１３：装置本体、１４：主制御部、１５：画像取込部、１６：空間分解能合せ部、１７：補正部、１８：位置合せ部、１９：引算部、２０：生成部、２１：カウントメモリ、２２：カウント入込部、２３：合成部、２４：表示部、２５：記憶部、２６：ディスプレイ。
【図１】
2008036284.tif 000003
【図２】
2008036284.tif 000004
【図３】
2008036284.tif 000005
【図４】
2008036284.tif 000006
【図５】
2008036284.tif 000007
【図６】
2008036284.tif 000008
【図７】
2008036284.tif 000009
【図８】
2008036284.tif 000010
【図９】
2008036284.tif 000011
【図１０】
2008036284.tif 000012
【図１１】
2008036284.tif 000013
【図１２】
2008036284.tif 000014
【図１３】
2008036284.tif 000015
【図１４】
2008036284.tif 000016